(57)【要約】【課題】オーディオ・クオリティの差を一目で判断できる音質表示方法、該方法を実施するプログラム及びＤＶＤオーディオディスク再生装置を提供する。【解決手段】本発明のＤＶＤオーディオディスク再生装置は、ストリーム属性情報取得部１０２によりＤＶＤオーディオディスクに記録されたデータからオーディオデータとビデオデータとを少なくとも分離し、分離したオーディオデータのオーディオストリームから再生オーディオストリーム属性情報を取得する。周波数レベル変換部である周波数帯域フィルタ３１が分離したオーディオデータを周波数レベル情報に変換すると、レベル分割部１０５は再生オーディオストリーム属性情報の量子化ビット数に合わせて周波数レベル情報のレベルを複数の段階に分割する。そして、表示制御部１０６は分割された周波数レベル情報をイメージ表示する。【選択図】        図１
2004178728.tif 000002
【特許請求の範囲】
【請求項１】
オーディオディスクに記録されたデータを読込み、読込んだデータからオーディオデータとビデオデータとを少なくとも分離し、分離したオーディオデータをスピーカから出力するとともに、該オーディオデータのオーディオストリームの周波数レベル情報に基づいてオーディオ・クオリティをイメージ表示で表示することを特徴とする音質表示方法。
【請求項２】
前記イメージ表示は、スペクトラムアナライザ表示であることを特徴とする請求項１記載の音質表示方法。
【請求項３】
前記イメージ表示は、グラフ表示であることを特徴とする請求項１記載の音質表示方法。
【請求項４】
コンピュータに、オーディオディスクに記録されたデータを読込み、読込んだデータからオーディオデータとビデオデータとを少なくとも分離する手順と、分離したオーディオデータをスピーカから出力するとともに、該オーディオデータのオーディオストリームの周波数レベル情報に基づいてクオリティをイメージ表示で表示する手順を実施させるための音質表示用プログラム。
【請求項５】
オーディオディスクを再生するオーディオディスク再生装置において、前記オーディオディスクに記録されたデータを読込み、読込んだデータからオーディオデータとビデオデータとを少なくとも分離し、分離したオーディオデータのオーディオストリームから再生オーディオストリーム属性情報を取得するストリーム属性情報取得部と、分離したオーディオデータを周波数レベル情報に変換する周波数レベル変換部と、該周波数レベル情報を取得する周波数レベル情報取得部と、前記再生オーディオストリーム属性情報の量子化ビット数に合わせて前記周波数レベル情報のレベルを複数の段階に分割するレベル分割部と、分割された周波数レベル情報をイメージ表示する表示制御部とを有することを特徴とするＤＶＤオーディオディスク再生装置。
【発明の詳細な説明】
【０００１】
【発明の属する技術分野】
本発明は、音質表示方法、該方法を実施するプログラム及びＤＶＤオーディオディスク再生装置に関し、より詳細にはＤＶＤオーディオディスクに記録されている高音質なオーディオ・コンテンツをユーザに表示する表示技術に関する。
【０００２】
【従来の技術】
現在、ＣＤオーディオディスクには、サンプリング周波数が４４．１ｋＨｚに、量子化ビット数が１６ｂｉｔに固定されているオーディオ・コンテツが記録されている。また、このようなＣＤオーディオディスクのクオリティは、イコライザ装置などで表示している。一方、ＣＤオーディオディスクより高音質に記録可能なＤＶＤオーディオディスクが開発されており、このＤＶＤオーディオディスクには、サンプリング周波数が４４．１ｋＨｚ、４８ｋＨｚ、８８．２ｋＨｚ、９６ｋＨｚ、１７６．４ｋＨｚ、１９２ｋＨｚで、そして量子化ビット数が１６ｂｉｔ、２０ｂｉｔ、２４ｂｉｔであるオーディオ・コンテンツが記録されている。そして、従来のＤＶＤオーディオディスク再生装置で再生されるオーディオのクオリティ情報は、ＤＶＤオーディオディスク再生装置のＬＣＤやＴＶ画面に数値情報として表示するものが多く見られる。
【０００３】
【発明が解決しようとする課題】
しかしながら、上記従来の方法のように、オーディオのクオリティ情報を数値表示しただけでは、ユーザはどれだけクオリティが異なるのか、どれだけ高音質であるのかが理解し難い。また、ＤＶＤオーディオディスク再生装置によって再生音を社内等の悪い音響環境で単に流して聞いているだけでは、音質の違いを判断することも難しい。
【０００４】
従って、本発明は上記従来技術の問題点を解決し、オーディオ・クオリティの差を一目で判断できる音質表示方法、該方法を実施するプログラム及びオーディオディスク再生装置を提供することを目的とする。
【０００５】
【課題を解決するための手段】
前記問題点を解決するために、本発明の音質表示方法によれば、先ずオーディオディスクに記録されたデータを読込む。そして、読込んだデータからオーディオデータとビデオデータとを少なくとも分離する。分離したオーディオデータのオーディオストリームの周波数レベル情報に基づいてオーディオ・クオリティをイメージ表示で表示する。そのイメージ表示は、例えばスペクトラムアナライザ表示であり、またはグラフ表示である。よって、オーディオディスクのオーディオ・クオリティの差を一目で判断できる。
【０００６】
また、別の発明としての音質表示用プログラムは、コンピュータに、オーディオディスクに記録されたデータを読込み、読込んだデータからオーディオデータとビデオデータとを少なくとも分離する手順と、分離したオーディオデータをスピーカから出力するとともに、該オーディオデータのオーディオストリームの周波数レベル情報に基づいてクオリティをイメージ表示で表示する手順を実施させる。
【０００７】
更に、別の発明としてのオーディオディスク再生装置は、オーディオディスクに記録されたデータを読込み、読込んだデータからオーディオデータとビデオデータとを少なくとも分離し、分離したオーディオデータのオーディオストリームから再生オーディオストリーム属性情報を取得するストリーム属性情報取得部と、分離したオーディオデータを周波数レベル情報に変換する周波数レベル変換部と、周波数レベル情報を取得する周波数レベル情報取得部と、再生オーディオストリーム属性情報の量子化ビット数に合わせて周波数レベル情報のレベルを複数の段階に分割するレベル分割部と、分割された周波数レベル情報をイメージ表示する表示制御部とを有することに特徴がある。よって、オーディオ成分表示と連動してオーディオ・クオリティをイメージで表示し、ユーザに高音質の差を感じやすくすることができるオーディオディスク再生装置を提供することができる。
【０００８】
【発明の実施の形態】
以下、本発明の実施の形態を、添付図面を参照して説明する。
【０００９】
（構成）
図１は、本発明の一実施の形態に係る音質表示方法を適用するＤＶＤ再生装置（オーディオディスク再生装置の一例）の構成を示すブロック図の形態で示したものである。同図に示すＤＶＤ再生装置１０は、サーボモータ制御部１１、モータ１２、スライダ制御部１３、光ピックアップ１４、操作部１５、ＲＦアンプ１６、ディジタル信号処理部１７、ＲＡＭ１８、ストリーム分離部１９、ビデオデコーダ２０、ＲＡＭ２１、サブピクチャデコーダ２２、ＲＡＭ２３、ビデオプロセッサ２４、ビデオエンコーダ２５、ディスプレイ２６、オーディオデコーダ２７、ＲＡＭ２８、Ｄ／Ａ変換部２９、スピーカ３０、周波数帯域フィルタ３１、スペアナ表示部３２、システムコントローラ１００を含んで構成されている。また、システムコントローラ１００は、再生制御部１０１、再生オーディオストリーム属性情報取得部１０２、周波数分解能指示部１０３、周波数レベル情報取得部１０４、レベル分割処理部１０５及びスペアナ表示制御部１０６を有している。
【００１０】
次に、図１に示すような構成を有するＤＶＤ再生装置１０の動作について説明すると、サーボモータ制御部１１によって駆動が制御されるモータ１２により回転するＤＶＤオーディオディスク２００は、スライダ制御部１３によりディスクの放射方向の位置が制御される光ピックアップ１４によってデータが読み出される。そのデータの読み出し等は、操作者によって操作される選曲、再生、停止、早送り等を行う操作部１５の指示信号に応じて再生制御部１０１がサーボモータ制御部１１，スライダ制御部１３の駆動を制御することにより、所望の選曲、再生等が行われる。光ピックアップ１４からのデータはＲＦアンプ１６で増幅され、ディジタル信号処理部１７により信号処理され、かつＲＡＭ１８に保存される。そして、信号処理されたディジタル信号は、ストリーム分離部１９によりビデオ信号、サブピクチャ信号及びオーディオ信号に分離される。ストリーム分離部１９によって分離されたビデオ信号は、ビデオデコーダ２０により復号化されてビデオプロセッサ２４に出力され、かつＲＡＭ２１に保存される。ストリーム分離部１９によって分離されたサブピクチャ信号は、サブピクチャデコーダ２２により復号化されてビデオプロセッサ２４に出力され、かつＲＡＭ２３に保存される。そして、ビデオプロセッサ２４はビデオ信号及びサブピクチャ信号を信号処理し、２つの信号をビデオエンコーダ２５により符号化し、符号化されたビデオ信号に基づいてディスプレイ２６に表示される。一方、ストリーム分離部１９によって分離されたオーディオ信号は、オーディオデコーダ２７により復号化され、かつＲＡＭ２８に保存される。そして、復号化されたオーディオ信号はＤ／Ａ変換器２９によりアナログ信号に変換されてスピーカ３０から出力される。
【００１１】
ここで、ＤＶＤオーディオ信号フォーマットは、図２の（ａ）に示すように、先頭にパケットヘッダを付与し、システムヘッダを付与しない場合には、２０３４バイトを単位とする１パケット分のデータずつにパッキングされる。このデータがオーディオデータの最も基本的な１単位分のユーザデータとなる。
【００１２】
このように１パケット分のデータずつにパッキングされたデータには、図２の（ｂ）に示すようなパックヘッダが付加されて、１単位分２０４８バイトのオーディオパック（Ａパック）とされる。パックヘッダは、パックスタート情報、システムクロックリファレンス情報（ＳＣＲ）、Ｍｕｘ  ｒａｔｅ情報及びスタッフィングの合計１４バイトにより構成される。
【００１３】
このようにして構成されたオーディオパック（Ａパック）を図２の（ｃ）に示すように、多数集めると共に、これらのデータを管理し制御するためのオーディオタイトルセット情報（ＡＴＳＩ）を付加してオーディオタイトルセット（ＡＴＳ）としている。なお、オーディオの他に付加的なデータとしてビデオデータからなるＶパックを含む際には、ビデオタイトルセット情報（ＶＴＳＩ）を用い、又はオーディオ・スチル・ビデオセット（ＡＳＶＳ）を用いて静止画表示も可能である。
【００１４】
また、ＡＴＳＩは後続のＡパックのオーディオ信号を管理・制御するための情報が配置され、図２の（ｄ）に示すように、ＡＴＳＩ−ＭＡＴとＡＴＳＩ−ＰＧＣＩＴで構成されている。このＡＴＳＩ−ＭＡＴには、ＤＶＤ−Ａｕｄｉｏ規格Ｔａｂｌｅ．７．１．１−２：ＡＯＴＴ＿ＡＯＢ＿ＡＴＲ／ＡＯＴＴ＿ＶＯＢ＿ＡＴＲ  ＃０〜＃７に１グループ（又は１グループ内のあるトラックの集まり）内で再生される全てのオーディオストリームの属性情報（サンプリング周波数や量子化ビット数など）が記録されたテーブル情報がある。また、ＡＴＳＩ−ＰＧＣＩＴには、現トラックにおいて再生されるオーディオストリームの属性情報が上記テーブルの何番目に記載されているものかについては、ＡＴＳ＿ＰＧＣＩ→ＡＴＳ＿ＰＧＩ（現トラックに関する情報）内におけるＡＴＳ＿ＣＮＴ情報の中のＡＴＲＮに示されている。
【００１５】
更に、ＤＶＤオーディオディスクには、図２の（ｅ）に示すように、ＡＭＧＩというディスク全体の管理情報が記録されている。このＡＭＧＩは、各テーブルの位置情報、オーディオマネージャメニュー（ＡＭＧメニュー）の属性などを記録するＡＭＧＭ−ＭＡＴ、ビデオ再生能力を持つプレーヤが使用するタイトルサーチ用情報を記録するＡＴＴ−ＳＲＰＴ、オーディオのみを再生するプレーヤが使用するタイトルサーチ用情報を記録するＡＯＴＴ−ＳＲＰＴ、各言語でＡＭＧメニューを再生するのに必要な制御情報を記録するＡＭＧＭ−ＰＧＣＩ−ＵＴ、画面に表示するテキストに関する情報を記録するＡＴＸＴＤＴ−ＭＧの５つのテーブルで構成されて、グループの最後まで再生が終了した際に、メニュー画面を表示するか否かの情報はＡＴＴ−ＳＲＰＴに記録されている。ＤＶＤ再生装置はグループ内の最後トラックの再生が終了したら、ＡＴＴ−ＳＲＰＴに記録されたメニュー画面表示指示に従い、メニュー画面を表示するようになっている。
【００１６】
このようなＤＶＤオーディオフォーマットを有するＤＶＤオーディオデータに対して、図１の再生オーディオストリーム属性情報取得部１０２はＤＶＤオーディオディスク２００に記録されているナビゲーション・データより図２の（ｄ）に示す現再生ストリームのオーディオ属性情報を取得する。そして、周波数分解能指示部１０３は、再生しているストリームのサンプリング周波数情報に合わせてどの程度の周波数分解能で周波数情報を取得するのかを周波数帯域フィルタ３１に設定する。そこで、周波数帯域フィルタ３１は、入力されたオーディオデータを設定された分解能の周波数成分レベル情報に変換する。例えば、２０Ｈｚ成分をレベル５、１ｋＨｚ成分をレベル１０、５ｋＨｚ成分をレベル２に変換する。周波数レベル情報取得部１０４は、周波数帯域フィルタ３１により変換されたオーディオストリームの周波数レベル情報を取得する。取得した周波数レベル情報はレベル分割処理部１０５に供給され、レベル分割処理部１０５は再生しているストリームの量子化ビット数に合わせ、周波数情報のレベルを何段階に分割するかを設定する。レベル分割処理部１０５を介して供給された周波数レベル情報はスペアナ表示制御部１０６により制御され、スペアナ表示部３２に、例えば図３に示すように横軸のサンプリング周波数に対して縦軸の量子化ビット数を表示したスペクトラムアナライザ表示で表示される。
【００１７】
以上説明したように、このようにＤＶＤ再生するオーディオ・クオリティをスペクトラムアナライザ表示などのオーディオ成分表示と連動させ、数値だけでなくグラフ等の内容（密度）を変えることで、イメージ情報としてオーディオ・クオリティの差をユーザに伝え、音声を聞くだけでは判断しづらいオーディオ・クオリティの差を一目で判断できる。
【００１８】
以上、本発明の一実施の形態を説明した。本発明は上記実施の形態に限定されるものではなく、本発明の要旨の範囲内において種々の変形実施が可能である。
【００１９】
【発明の効果】
以上説明した本発明によれば、オーディオ・クオリティの差を一目で判断できる音質表示方法、該方法を実施するプログラム及びオーディオディスク再生装置を提供できる。
【図面の簡単な説明】
【図１】本発明の一実施の形態に係る音質表示方法を適用するＤＶＤ再生装置の構成を示すブロック図である。
【図２】ＤＶＤオーディオ信号フォーマットの構成を示す図である。
【図３】ＤＶＤオーディオ・クオリティのスペアナ表示例を示す図である。
【符号の説明】
１０  ＤＶＤ再生装置              １１  サーボモータ制御部
１２  モータ                      １３  スライダ制御部
１４  光ピックアップ              １５  操作部
１６  ＲＦアンプ                  １７  ディジタル信号処理部
１８  ＲＡＭ                      １９  ストリーム分離部
２０  ビデオデコーダ              ２１  ＲＡＭ
２２  サブピクチャデコーダ        ２３  ＲＡＭ
２４  ビデオプロセッサ            ２５  ビデオエンコーダ
２６  ディスプレイ                ２７  オーディオデコーダ
２８  ＲＡＭ                      ２９  Ｄ／Ａ変換部
３０  スピーカ                    ３１  周波数帯域フィルタ
３２  スペアナ表示部              １００  システムコントローラ
１０１  再生制御部
１０２  再生オーディオストリーム属性情報取得部
１０３  周波数分解能指示部        １０４  周波数レベル情報取得部
１０５  レベル分割処理部          １０６  スペアナ表示制御部
２００  ＤＶＤオーディオディスク
【図１】
2004178728.tif 000003
【図２】
2004178728.tif 000004
【図３】
2004178728.tif 000005